(57)【要約】【課題】外鉢と内鉢を容易に着脱でき、植木鉢の水遣り時の脱着作業を容易にする。【解決手段】植木鉢は、外鉢１１と、外鉢と着脱自在に気密に嵌合され取水孔１５が形成された内鉢１２とからなる。外鉢と内鉢が嵌合されたとき外鉢の内周面と内鉢の外周面間に形成される空間１４が、取水孔を除き外気から遮蔽された密閉空間を構成し、密閉空間内の気圧により水２２が取水孔を介して内鉢内に給水される。内鉢の底部中央部には、外鉢とのねじ嵌合部が設けられ、内鉢を外鉢に対して相対的に回転させることにより内鉢が着脱自在に外鉢と嵌合される。内鉢の底部中央部における嵌合部の外径ｄが内鉢の上部外周部の外径Ｄより小さくなっているので、内鉢と外鉢を回転させて両鉢を取り外すとき、弱い力でも取り外しができるので、植木鉢の水遣り作業が容易になる。【選択図】図１
2007267655.tif 000002
【特許請求の範囲】
【請求項１】
外鉢と、該外鉢と着脱自在に気密に嵌合され取水孔が形成された内鉢とからなり、外鉢と内鉢が嵌合されたとき外鉢の内周面と内鉢の外周面間に形成される空間が、前記取水孔を除き外気から遮蔽された密閉空間を構成し、該密閉空間内の水が密閉空間内の気圧により取水孔を介して内鉢内に給水される構造の植木鉢であって、内鉢の底部中央部に外鉢との嵌合部が設けられ、内鉢を外鉢に対して相対的に回転させることにより内鉢が前記嵌合部を介して外鉢と嵌合され、内鉢の前記嵌合部の外径が内鉢の上部外周部の外径より小さくなっていることを特徴とする植木鉢。
【請求項２】
前記外鉢と内鉢のそれぞれ底部中央部にねじ部が形成され、外鉢と内鉢がねじ部を介して嵌合されることを特徴とする請求項１に記載の植木鉢。
【請求項３】
前記取水孔に、内鉢からの水の湧き出しを抑えるとともに、水を内鉢に誘導するための部材が取り付けられることを特徴とする請求項１又は２に記載の植木鉢。
【発明の詳細な説明】
【技術分野】
【０００１】
本発明は、植木鉢、更に詳細には、外鉢と内鉢とからなり自動給水機能を有する植木鉢に関する。
【背景技術】
【０００２】
植木鉢の外周部が二重構造になっており、そこを貯水部とし、植木鉢の内面下方部に貯水部から植木鉢内への取水孔を設け、さらに貯水部の上面に給水口を設け、その給水口に着脱自在の密閉蓋を設けた自動給水機能を持つ植木鉢が知られている（特許文献１、２）。
【０００３】
また、外鉢と、下方部に取水孔が設けられた内鉢とから構成された植木鉢であって、外鉢の中に内鉢が着脱自在に固定される構造になっており、外鉢の内周面と内鉢の外周面との間隙が、前記取水孔を除き外気から遮蔽された密閉空間を構成している自動給水機能を持つ植木鉢も知られている（特許文献３）。
【特許文献１】特開平９−１０７８２３号公報
【特許文献２】実用新案第３０３２７５１号公報
【特許文献３】特開２００４−５７１８４号公報
【発明の開示】
【発明が解決しようとする課題】
【０００４】
上記特許文献１、２に記載の植木鉢では、外鉢と内鉢が着脱自在になっていないので、外鉢と内鉢により形成された空間内に水を補給するには、上部に設けた着脱自在の密閉蓋を介して行わなければならず、通常密閉蓋が小さいことから、給水操作が困難であるという問題があった。
【０００５】
一方、特許文献３に記載の植木鉢では、外鉢と内鉢が着脱自在であるので、給水を行うときは、外鉢と内鉢をはずし、直接外鉢内に給水できることから、給水操作が容易であるという利点があるが、外鉢と内鉢はその上方部に雄雌のネジを付けることでねじ嵌合される。このように、上部に嵌合部があるため、外鉢と内鉢の両鉢を回転させて外す時に相応の力が必要になり、同様に取り付ける場合にも気密性を保持するにはしっかりと取り付ける必要から相当の締め付力が必要となっていた。
【０００６】
また、内鉢には取水孔が設けられており、その取水孔に接触する様に不織布などが当てられて、水を誘引しているが、外鉢内鉢を素早く取り付けないと水が湧き出してくるという欠点があり、この為、使用者には素早く取り付けなければならないという焦りの気持ちや不安感を頂かせるものであった。
【０００７】
本発明は、このような問題点を解決するためになされたもので、外鉢と内鉢を容易に着脱でき、自動給水機能を持つ植木鉢の水遣り時の脱着作業を容易にすることができる植木鉢を提供することを課題とする。
【課題を解決するための手段】
【０００８】
本発明は、外鉢と、該外鉢と着脱自在に気密に嵌合され取水孔が形成された内鉢とからなり、外鉢と内鉢が嵌合されたとき外鉢の内周面と内鉢の外周面間に形成される空間が、前記取水孔を除き外気から遮蔽された密閉空間を構成し、該密閉空間内の水が密閉空間内の気圧により取水孔を介して内鉢内に給水される構造の植木鉢であって、内鉢の底部中央部に外鉢との嵌合部が設けられ、内鉢を外鉢に対して相対的に回転させることにより内鉢が前記嵌合部を介して外鉢と嵌合され、内鉢の前記嵌合部の外径が内鉢の上部外周部の外径より小さくなっていることを特徴とする。
【０００９】
本発明では、外鉢と内鉢のそれぞれ底部中央部にねじ部が形成され、外鉢と内鉢がねじ部を介して嵌合される。また、内鉢の取水孔には、内鉢からの水の湧き出しを抑えるとともに、水を内鉢に誘導するための不織布などからなる部材が取り付けられる。
【発明の効果】
【００１０】
本発明によれば、内鉢の底部中央部における嵌合部の外径が内鉢の上部外周部の外径より小さくなっているので、内鉢と外鉢を回転させて嵌合をはずすとき、弱い力でも取り外しができるので、植木鉢の水遣り作業が容易になる。また、内鉢と外鉢を嵌合させるときも、簡単な操作で気密嵌合ができるので、内周面と内鉢の外周面間に形成される間隙の密閉を確実にすることができる。
【００１１】
また、内鉢の取水孔には、内鉢取り付け時の水の湧き出しを抑え、かつ内鉢を取り付け後には水を毛細管現象で誘導する部材が設けられるので、水補給後外鉢に内鉢を取り付ける際に、時間的余裕を持って取り付けることが可能になる。
【発明を実施するための最良の形態】
【００１２】
以下、図面に示す実施例に基づいて本発明を詳細に説明する。
【実施例】
【００１３】
図１には、本発明実施例に係る外鉢１１と内鉢１２とからなる植木鉢１０が図示されている。外鉢１１は、上部が開放し底部が閉じた中空の円柱形状の一体成形されたプラスティックからできており、上部周囲には凸状の突部１１ａが形成されている。また、底部ほぼ中央には、円柱状の突出部１１ｂが形成されていてその外周部には、雄ねじ１１ｃが形成されている。
【００１４】
一方、内鉢１２は、円錐台を上下反転させた形状の一体成形されたプラスティックからできており、内鉢１２の底部には、円筒状の凹部１２ｂが形成され、この凹部１２ｂの下方内側の周面には、外鉢１１の突出部１１ｂに形成された雄ねじ１１ｃと螺合する雌ねじ１２ｃが形成されている。
【００１５】
また、内鉢１２の下方部には、水を内鉢１２内に導く円筒状の取水孔１５が設けられている。この取水孔１５の内面にはその長手方向全体にわたって、不織布などからなり、内鉢１２からの水の湧き出しを抑えるとともに、水を内鉢１２に誘導するための部材１６が取り付けられる。
【００１６】
内鉢１２の上方部は外側に折り返されて、その折り返し部１２ａの内側にはシーリング材１３が取り付けられる。このシーリング材１３が取り付けられる部分の内鉢１２の外周部の外径Ｄは、内鉢１２が逆円錐台の形状をしているので、底部の雌ねじ１２ｃが形成された嵌合部の外径ｄより大きくなっている（図４（Ａ）、（Ｂ）も参照）。
【００１７】
シーリング材１３は、外鉢１１の突出部１１ｂに形成された雄ねじ１１ｃと、内鉢１２の凹部１２ｂに形成された雌ねじ１２ｃをねじ合わせて内鉢と外鉢を気密に嵌合させたとき、外鉢１１の突部１１ａと気密に接触し、それにより外鉢１１の内周面と内鉢１２の外周面間に形成される空間１４が、取水孔１５を除き外気から遮蔽された密閉空間を構成するようになる。
【００１８】
なお、内鉢１２には、培養土２１が盛られ、その中に植物２０が植えられている。
【００１９】
このような構成において、植木鉢１０に給水するときは、図２に図示したように、外鉢１１と内鉢１２を相対的に回転させて、雄ねじ１１ｃと雌ねじ１２ｃのねじ嵌合をはずして内鉢１２を外鉢１１から取り外す。このとき、内鉢１２の嵌合部の外径ｄが内鉢の上部外周部の外径Ｄより小さくなっているので、使用者は、上部外周部に加わる大きなトルクで嵌合部のねじ合わせを緩めることができ、両鉢の取り外しが容易になる。
【００２０】
続いて、外鉢１１に水２２を補給する。使用者は、外鉢１１の上部から給水できるので、植木鉢１０への水遣りが容易になる。
【００２１】
外鉢１１に給水を行ったあと、逆操作で両鉢１１と１２をねじ嵌合させる。このとき、雄ねじ１１ｃと雌ねじ１２ｃの嵌合部は気密に密閉され、また外鉢１１の突部１１ａがシーリング材１３と気密に接触するので、両鉢１１と１２間の空間１４は、取水孔１５を除き外気から遮蔽され、密閉された状態となる。図２に示した外鉢１１への給水により、両鉢を嵌合させたときには、図１に示したように、外鉢１１の水位はＨ１となる。
【００２２】
培養土２１内の空気が取水孔１５を介して空間１４に入り、また空間１４に貯水された水２２が取水孔１５を介して内鉢１２の培養土２１内に浸透していく。取水孔１５には、不織布からなる部材１６が取り付けられているので、毛細管現象により内鉢への水の浸透が助長される。培養土２１が適度な湿潤状態となると、取水孔１５からの空間１４への空気流入はなくなり、水２２の内鉢への浸透が停止するので、外鉢１１の水位はＨ１より低い一定のレベルに保たれる。
【００２３】
植物２０が水を消費したり、あるいは培養土２１内の水分が蒸発したりして、培養土２１が水分を失うと、その失われた水分だけ取水孔１５を介して内鉢１２内へ水２２が補給されるので、内鉢内への自動給水機能が得られる。
【００２４】
自動給水機能により、図３に示したように、空間１４の水位が取水孔１５の下端のレベルＨ２まで低下すると、もはや水分を培養土に補給できなくなるので、使用者は、図２に示したように、外鉢１１から内鉢１２を取り外し、外鉢１１に水を補給する。取水孔１５に取り付けられた部材１６は、内鉢１２からの水の湧き出しを抑えることもできるので、使用者は、内鉢を素早く外鉢に取り付けなければならいという焦りの気持ちや不安感を頂くことがなくなる。取水孔１５並びに部材１６は、内鉢内に円筒状に長く伸びているので、水の湧き出しを抑える効果が大きくなる。
【図面の簡単な説明】
【００２５】
【図１】本発明の植木鉢の構造を示す断面図である。
【図２】内鉢と外鉢の嵌合をはずし、外鉢に給水を行う状態を示す断面図である。
【図３】外鉢に給水された水が消費された状態を示す断面図である。
【図４】（Ａ）は図２のＡ−Ａ線に沿った断面図、（Ｂ）は図２のＢ−Ｂ線に沿った断面図である。
【符号の説明】
【００２６】
１０  植木鉢
１１  外鉢
１２  内鉢
１３  シーリング材
１５  取水孔
２０  植物
２１  培養土
【図１】
2007267655.tif 000003
【図２】
2007267655.tif 000004
【図３】
2007267655.tif 000005
【図４】
2007267655.tif 000006